【事件の表示】
　　特許第２７６８３０６号「電子機器」の特許に対する特許異議の申立てについて、次のとおり決定する。
【結　論】
　訂正を認める。
　特許第２７６８３０６号の特許を維持する。
【理　由】
（１）手続の経緯
　特許第２７６８３０６号の請求項１に係る発明についての出願は、昭和５９年８月３１日に特許出願した特願昭５９−１８３５３８号の一部を新たな特許出願とし、平成１０年４月１０日にその発明について特許の設定登録がなされ、その後、その特許について、異議申立人池田英治より特許異議の申立てがなされ、取消理由通知がなされ、その指定期間内である平成１１年６月２８日に訂正請求（後日取り下げ）がなされた後、再度の取消理由通知がなされ、その指定期間内である平成１１年９月８日に訂正請求がなされたものである。
（２）訂正の適否についての判断
ア．訂正明細書の請求項１に係る発明
　　訂正明細書の請求項１に係る発明は、その特許請求の範囲の請求項１に記載された次の事項により特定されるとおりのものである。
「電子機器内のクロックを出力し、その発振動作が制御される発振手段と、
オン動作によるレベル変化後のレベルが前記クロックの分周信号に基づく所定時間以上持続したときの前記オン動作によるレベル変化を第１のレベル変化として、オンオフ動作の度にレベルが変化する第１レベル信号を出力するプッシュスイッチと、
　前記第１レベル信号の第１のレベル変化時点から前記所定時間が経過後に第１のレベル変化をして前記オンオフ動作に追随して第１から第４までのレベル変化をする第２レベル信号を、前記分周信号に基づいて前記第１レベル信号からチャタリングによるノイズを除去して整形することにより生成して出力するチャタリング除去手段と、
　該チャタリング除去手段に接続され、前記第２レベル信号の第１のレベル変化時点で所定のレベルにレベル変化をして前記第２レベル信号の第４のレベル変化時点まで前記所定のレベルを持続する第３レベル信号を出力する論理回路手段と、
　前記第１レベル信号と前記第３レベル信号とが入力され、前記第１レベル信号の第１のレベル変化時点で前記発振手段の発振動作を開始させ、その発振動作を前記第３レベル信号の前記所定のレベルを持続する期間が終了するまで持続させ、それら以外では前記発振動作を持続させないように制御するための発振指示信号を出力する発振指示手段と、
を備えたことを特徴とする電子機器。」
イ．訂正の目的の適否、新規事項の有無及び拡張・変更の存否
　　特許権者が求めている訂正の内容は以下のａ〜ｅのとおりである。
　訂正事項ａは、訂正前の特許請求の範囲の請求項１に係る発明
「電子機器内のクロックを出力し、その発振動作が制御される発振手段と、
　オンオフ動作の度にレベルが変化する第１レベル信号を出力するプッシュスイッチと、　該第１レベル信号からチャタリングによるノイズを除去し、第２レベル信号を出力するチャタリング除去手段と、
　該チャタリング除去手段に接続され、前記第２レベル信号の第１のレベル変化時点から第４のレベル変化時点まで所定のレベルを持続する第３レベル信号を出力する論理回路手段と、
　前記第１レベル信号と第３レベル信号とが入力され、第１レベル信号の第１のレベル変化時点で前記発振手段の発振動作を開始させ、第３レベル信号が前記所定のレベルを持続する期間中は前記発振動作を持続させるための発振指示信号を出力する発振指示手段と、
を備えたことを特徴とする電子機器。」を前記（２）ア．の訂正明細書の請求項１に係る発明のように訂正する。
　訂正事項ｂは、明細書の詳細な説明の段落（００２２）課題を解決するための手段の項を、
「（課題を解決するための手段）
本発明の電子機器は、電子機器内のクロックを出力し、その発振動作が制御される発振手段と、オン動作によるレベル変化後のレベルが前記クロックの分周信号に基づく所定時間以上持続したときの前記オン動作によるレベル変化を第１のレベル変化として、オンオフ動作の度にレベルが変化する第１レベル信号を出力するプッシュスイッチと、前記第１レベル信号の第１のレベル変化時点から前記所定時間が経過後に第１のレベル変化をして前記オンオフ動作に追随して第１から第４までのレベル変化をする第２レベル信号を、前記分周信号に基づいて前記第１レベル信号からチャタリングによるノイズを除去して整形することにより生成して出力するチャタリング除去手段と、該チャタリング除去手段に接続され、前記第２レベル信号の第１のレベル変化時点で所定のレベルにレベル変化をして前記第２レベル信号の第４のレベル変化時点まで前記所定のレベルを持続する第３レベル信号を出力する論理回路手段と、前記第１レベル信号と前記第３レベル信号とが入力され、前記第１レベル信号の第１のレベル変化時点で前記発振手段の発振動作を開始させ、その発振動作を前記第３レベル信号の前記所定のレベルを持続する期間が終了するまで持続させ、それら以外では前記発振動作を持続させないように制御するための発振指示信号を出力する発振指示手段と、を備えたことを特徴とする。」と訂正する。
　訂正事項ｃは、明細書の詳細な説明の段落（００６２）発明の効果の項を、
「（発明の効果）
　以上述べたように、本発明によれば、電子機器内のクロックを出力し、その発振動作が制御される発振手段ｍを備えたことにより、自身の回路に供給されるクロックを発生することができるため、他の発振器を必要とせず、より簡単な構成でチャタリングを除去し得る。さらに電子機器内のクロックを出力し、その発振動作が制御される発振手段と、オン動作によるレベル変化後のレベルが前記クロックの分周信号に基づく所定時間以上持続したときの前記オン動作によるレベル変化を第１のレベル変化として、オンオフ動作の度にレベルが変化する第１レベル信号を出力するプッシュスイッチと、前記第１レベル信号の第１のレベル変化時点から前記所定時間が経過後に第１のレベル変化をして前記オンオフ動作に追随して第１から第４までのレベル変化をする第２レベル信号を、前記分周信号に基づいて前記第１レベル信号からチャタリングによるノイズを除去して整形することにより生成して出力するチャタリング除去手段と、該チャタリング除去手段に接続され、前記第２レベル信号の第１のレベル変化時点で所定のレベルにレベル変化をして前記第２レベル信号の第４のレベル変化時点まで前記所定のレベルを持続する第３レベル信号を出力する論理回路手段と、前記第１レベル信号と前記第３レベル信号とが入力され、前記第１レベル信号の第１のレベル変化時点で前記発振手段の発振動作を開始させ、その発振動作を前記第３レベル信号の前記所定のレベルを持続する期間が終了するまで持続させ、それら以外では前記発振動作を持続させないように制御するための発振指示信号を出力する発振指示手段と、を備えたことにより、プッシュスイッチの押下に伴って所定の期間、発振を維持させることができる。」と訂正するものである。
　　前記訂正について検討すると、訂正事項ａは、願書に最初に添付した明細書および図面に基づいて、第１、第２、第３レベル信号と発振動作状態を限定するものであり、特許請求の範囲の減縮に相当する。また、訂正事項ｂ〜ｃは上記特許請求の範囲の訂正に伴って、該訂正と整合をとるためのものであり、明瞭でない記載の釈明に相当する。
　そして、前記訂正は、新規事項の追加に該当せず、実質的に特許請求の範囲を拡張または変更するものでもない。
ウ．独立特許要件
（ａ）当審が取消理由通知で示した特許法第３６条第４項、第５項違反について、
　訂正明細書の請求項１に係る発明が、権利者も認めているようにプッシュスイッチによる第１レベル信号の第１のレベル変化前にチャタリングに伴うパルス発振が生じうることは明らかであるが、このパルス発振は第１レベル信号の第１レベル変化以前に停止するので、電子機器の動作に悪影響を及ぼすことはなく、また、第３レベル信号が所定のレベルを持続し発振動作が持続される期間、つまり、電子機器の動作状態に対応するほとんどの期間においてはチャタリングに伴う影響を防止している。してみれば、上記訂正明細書の請求項１に係る発明は全体としてチャタリングに伴う影響を防止しているものと認められる。よって、上記訂正明細書は、特許法第３６条第４項、５項の規定する要件を満たしている。
（ｂ）訂正明細書の請求項１に係る発明に対して、当審が取消理由通知で示した刊行物Ａ（特開昭５９−１２０８３３号公報）には、第１図、第２図、第３図と共に、
　第１頁左下欄第５行〜第８行に、
「クロック発生器からのクロック信号に同期して動作し、…ＬＳＩ化された電子温度計であって、…」と記載され、
　第２頁右下欄第６行〜第９行に、
「スイッチ回路６は、この電子回路の動作を指令する押しボタンスイッチＳＷを含み、その押しボタン操作により発振器１およびクロック発振器４に発振開始信号を出力する。フリップフロップＦＦ３のＤ入力端子には第２図に示す電池Ｅによる電源電圧ＶＤＤが導入され、フリップフロップＦＦ３とＦＦ４の各ＣＬＫ端子にはクロック信号ＣＬＳが与えられている。フリップフロップＦＦ３のＱ出力はフリップフロップＦＦ４のＤ入力端子に与えられる。フリップフロップＦＦ４のＱ出力は、フリップフロップＦＦ５のＣＬＫ入力端子に与えられ、またＱバー出力はノア回路７に与えられる。フリップフロップＦＦ５のＤ入力端子にはそのＱバー出力が与えられ、そのＱ出力はノア回路７に与えられる。ノア回路７の出力端子はフリップフロップＦＦ６のＤ入力端子に接続され、そのＣＬＫ入力端子にはクロック発振器５よりクロック信号ｆ。が与えられる。押しボタンスイッチＳＷの一端に電源電圧ＶＤＤが導かれ、また他端は抵抗Ｒ２を介して接地されている。」と記載され、
　第３頁左上欄第８行〜第１０行に、
「フリップフロップＦＦ６のＱ出力は、発振開始信号として発振器１に与えられ、またＱバー出力は発振開始信号としてクロック発振器４に与えられる。」と記載され、
　第３頁右上欄第２行〜第９行には、
「押しボタンスイッチＳＷを押すと、Ｔ１時間オンになり……はリセットされる。そのリセット直後より、フリップフロップＦＦ６の出力から発振器１およびクロック発振器４の発振開始信号が出力される。すなわち、この押しボタン操作によりパワーオン状態に移る。」と記載されている。
　そこで、訂正明細書の請求項１に係る発明と前記刊行物Ａに記載のものとを対比すると、両者は、
「電子機器内のクロックを出力し、その発振動作が制御される発振手段と、
　オン動作によるレベル変化後のレベルが前記クロックの分周信号に基づく所定時間以上持続したときの前記オン動作によるレベル変化を第１のレベル変化として、オンオフ動作の度にレベルが変化する第１レベル信号を出力するプッシュスイッチと、
　前記第１レベル信号と前記第３レベル信号とが入力され、前記第１レベル信号の第１のレベル変化時点で前記発振手段の発振動作を開始させ、その発振動作を前記第３レベル信号の前記所定のレベルを持続する期間が終了するまで持続させ、それら以外では前記発振動作を持続させないように制御するための発振指示信号を出力する発振指示手段と、
を備えた電子機器。」という点で一致しているが、
　訂正明細書の請求項１に係る発明が、前記第１レベル信号の第１のレベル変化時点から前記所定時間が経過後に第１のレベル変化をする第２レベル信号を出力するチャタリング除去手段と、前記第２レベル信号の第１のレベル変化時点で所定のレベルにレベル変化をして前記第２レベル信号の第４のレベル変化時点まで前記所定のレベルを持続する第３レベル信号を出力する論理回路手段を有しているのに対して、刊行物Ａのものはそのような構成を有していない点で相違し、且つ、訂正明細書の請求項１に係る発明は、この構成により明細書記載の効果を有するものである。してみれば、訂正明細書の請求項１に係る発明は、前記刊行物Ａに記載された発明と同一とはいえず、また、該発明に基づいて当業者が容易に発明をすることができたものとはいえない。
　したがって、訂正明細書の請求項１に係る発明は特許出願の際独立して特許を受けることができるものである。
エ．むすび
　以上のとおりであるから、上記訂正は、特許法第１２０条の４第２項及び同条第３項において準用する第１２６条第２〜４項の規定に適合するので、当該訂正を認める。
（３）特許異議の申立てについての判断
ア．本件請求項１に係る発明
　平成１１年９月８日付けで提出された訂正明細書の請求項１に係る発明（以下、「本件請求項１に係る発明」という。）は、前記（２）ア．に記載されたとおりのものである。
イ．申立ての理由の概要　
　異議申立人池田英治は、甲第１号証（特開昭５９−１２０８３３号公報（前記刊行物Ａ））、甲第２号証（特開昭５７−７３６９４号公報）、甲第３号証（特開昭５４−６７１８１号公報）を提出し、請求項１に記載された発明は、甲第１号証に記載された発明と実質的に同一であるから、特許法第２９条第１項第３号の規定に該当し、あるいは少なくとも甲第１号証から、さらには甲第１号証と甲第２号証および甲第３号証から、当業者が容易に発明することができたものであるから、同法第２９条第２項の規定に該当して特許を受けることができないものであり、したがって、同法第１１３条第１項第２号の規定により、当然取り消されるべきものであると主張している。
ウ．甲各号証に記載された発明
　甲第１号証は前記の刊行物Ａと同一であり、前記（２）ウ．（ｂ）の内容が記載されている。
　　甲第２号証には、第４図、第５図及びその説明として、
　第３頁左上欄第５行〜第１３行に、「上記ゲートＧ４からは、入力信号ａが加えられたとき、クロックパルスＣＫと等しいパルスが出力される。このＧ４の出力が力ウン夕ＣＮＴによりカウントされる。力ウン夕ＣＮＴのカウント数が設定された遅延時間に相当するカウント数に達したとき前記力ウン夕ＣＮＴからフリップフロップ回路ＦＦ４をセットするための信号が出力され、フリップフロップＦＦ４（以下「ＦＦ４」と略称する）から信号ｊが出力される。」ことが記載されている。
　甲第３号証には、第２図〜第４図及びその説明として、
　第２頁右下欄第４行〜第３頁左上欄の第１２行に、「スイッチ２の開放状態においてこれが誤って短時間閉成されたり、あるいは電気的なノイズによってマイコンの入力端子５にパルスが加わった場合は、・・・・指令信号Ｐ３が１に切替えられることがない。・・・・・、スイッチ２の閉成状態においてこれが誤って開放されたり、あるいは電気的ノイズによってマイコン入力端子５に０パルスが加わった場合は、・・・・指令信号Ｐ３が０に切替えられることはない。以上のように、本発明においてはサンプリングパルスＰ４とスイッチ２の開閉状態をあらわすマイコン入力Ｐ５との論理積をとり、その値が予定の時間（あるいは回数）連続して同じであった時にのみ動作指令信号Ｐ３を変化させるようにしているので、誤ってスイッチに触れたり、電気的ノイズが生じたりすることによる誤動作を防止することができる。」と記載されている。
エ．判断
　本件請求項１に係る発明は、前記（２）ウ．（ａ）、（ｂ）に記載された理由により、甲第１号証に記載された発明と同一ではなく、また、該発明から当業者が容易に発明をすることができるものでもない、。
　また、異議申立人は、甲第２号証、甲第３号証を提出しているが、これら甲各号証も、本件請求項１に係る発明が有する構成「前記第１レベル信号の第１のレベル変化時点から前記所定時間が経過後に第１のレベル変化をする第２レベル信号を出力するチャタリング除去手段と、前記第２レベル信号の第１のレベル変化時点で所定のレベルにレベル変化をして前記第２レベル信号の第４のレベル変化時点まで前記所定のレベルを持続する第３レベル信号を出力する論理回路手段」を有しておらず、本件請求項１に係る発明は、この点によって明細書記載の効果を奏するものであるから、本件請求項１に係る発明が前記甲第１、甲第２、甲第３号証に記載された発明から当業者が容易に発明をすることができたものとすることはできない。
オ．むすび
　以上のとおりであるから、特許異議申立ての理由及び証拠によっては本件請求項１に係る発明についての特許を取り消すことはできない。
　また、他に本件請求項１に係る発明の特許を取り消すべき理由を発見しない。
　よって、結論のとおり決定する。
【異議決定日】
平成１２年３月２９日（２０００．３．２９）
【訂正の要旨】
　特許請求の範囲の減縮及び明りょうでない記載の釈明を目的として、特許請求の範囲を以下の通り訂正する。
「１．電子機器内のクロックを出力し、その発振動作が制御される発振手段と、
　
オン動作によるレベル変化後のレベルが前記クロックの分周信号に基づく所定時間以上持続したときの前記オン動作によるレベル変化を第１のレベル変化として、
　
前記第１レベル信号の第１のレベル変化時点から前記所定時間が経過後に第１のレベル変化をして前記オンオフ動作に追随して第１から第４までのレベル変化をする
、前記分周信号に基づいて前記第１レベル信号からチャタリングによるノイズを除去して整形することにより生成して
　該チャタリング除去手段に接続され、前記第２レベル信号の第１のレベル変化時点
で所定のレベルにレベル変化をして前記第２レベル信号の
前記
　前記第１レベル信号と
前記
前記
その発振動作を前記
の
が終了するまで
、それら以外では前記発振動作を持続させないように制御する
を備えたことを特徴とする電子機器。」
　▲２▼訂正事項ｂ
　明りょうでない記載の釈明を目的として、【００２２】段落の記載を以下の通り訂正する。
「　【課題を解決するための手段】
　本発明の電子機器は、電子機器内のクロックを出力し、その発振動作が制御される発振手段と、
オン動作によるレベル変化後のレベルが前記クロックの分周信号に基づく所定時間以上持続したときの前記オン動作によるレベル変化を第１のレベル変化として、
前記第１レベル信号の第１のレベル変化時点から前記所定時間が経過後に第１のレベル変化をして前記オンオフ動作に追随して第１から第４までのレベル変化をする
、前記分周信号に基づいて前記第１レベル信号からチャタリングによるノイズを除去して整形することにより生成して
で所定のレベルにレベル変化をして前記第２レベル信号の
前記
前記
前記
その発振動作を前記
の
が終了するまで
、それら以外では前記発振動作を持続させないように制御する
　▲３▼訂正事項ｃ
　明りょうでない記載の釈明を目的として、【００６２】段落の記載を以下の通り訂正する。
「　【発明の効果】
　以上述べたように、本発明によれば、電子機器内のクロックを出力し、その発振動作が制御される発振手段ｍを備えたことにより、自身の回路に供給されるクロックを発生することができるため、他の発振器を必要とせず、より簡単な構成でチャタリングを除去し得る。さらに電子機器内のクロックを出力し、その発振動作が制御される発振手段と、
オン動作によるレベル変化後のレベルが前記クロックの分周信号に基づく所定時間以上持続したときの前記オン動作によるレベル変化を第１のレベル変化として、
前記第１レベル信号の第１のレベル変化時点から前記所定時間が経過後に第１のレベル変化をして前記オンオフ動作に追随して第１から第４までのレベル変化をする
、前記分周信号に基づいて前記第１レベル信号からチャタリングによるノイズを除去して整形することにより生成して
で所定のレベルにレベル変化をして前記第２レベル信号の
前記
前記
前記
その発振動作を前記
の
が終了するまで
、それら以外では前記発振動作を持続させないように制御する
（５４）【発明の名称】
電子機器
（５７）【特許請求の範囲】
　１．電子機器内のクロックを出力し、その発振動作が制御される発振手段と、
　
オン動作によるレベル変化後のレベルが前記クロックの分周信号に基づく所定時間以上持続したときの前記オン動作によるレベル変化を第１のレベル変化として、
　
前記第１レベル信号の第１のレベル変化時点から前記所定時間が経過後に第１のレベル変化をして前記オンオフ動作に追随して第１から第４までのレベル変化をする
、前記分周信号に基づいて前記第１レベル信号からチャタリングによるノイズを除去して整形することにより生成して
　該チャタリング除去手段に接続され、前記第２レベル信号の第１のレベル変化時点
で所定のレベルにレベル変化をして前記第２レベル信号の
前記
　前記第１レベル信号と
前記
前記
その発振動作を前記
の
が終了するまで
、それら以外では前記発振動作を持続させないように制御する
を備えたことを特徴とする電子機器。
【発明の詳細な説明】
　【０００１】
　【産業上の利用分野】
　本発明は、電子体温計等の電子機器に関し、詳しくは、発振及び発振停止による電子機器の動作及び停止（非動作）を１つのプッシュ式スイッチにより行う電子機器の、チャタリング防止及び発振・発振停止制御に関する。
　【０００２】
　【０００３】
　【０００４】
　【０００５】
　【０００６】
　【０００７】
　【０００８】
　【０００９】
　【００１０】
　【００１１】
　【００１２】
　【００１３】
　【００１４】
　【００１５】
　【００１６】
　【００１７】
　【００１８】
　【００１９】
　【００２０】
　【００２１】
　【発明が解決しようとする課題】
　本発明は、発振開始、停止をプッシュスイッチを押下することによりサイクリックに行い、その際のチャタリングを防止することにより、電子機器の動作状態、非動作状態の繰り返しをプッシュスイッチの押下動作の繰り返しで可能とすることを目的としたものである。
　【００２２】
　【課題を解決するための手段】
　本発明の電子機器は、電子機器内のクロックを出力し、その発振動作が制御される発振手段と、
オン動作によるレベル変化後のレベルが前記クロックの分周信号に基づく所定時間以上持続したときの前記オン動作によるレベル変化を第１のレベル変化として、
前記第１レベル信号の第１のレベル変化時点から前記所定時間が経過後に第１のレベル変化をして前記オンオフ動作に追随して第１から第４までのレベル変化をする
、前記分周信号に基づいて前記第１レベル信号からチャタリングによるノイズを除去して整形することにより生成して
で所定のレベルにレベル変化をして前記第２レベル信号の
前記
前記
前記
その発振動作を前記
の
が終了するまで
、それら以外では前記発振動作を持続させないように制御する
　【００２３】
　【００２４】
　【実施例】
　図１は、本発明の実施例における電子機器の発振開始、停止に関する回路図であり、図２はそのタイミングチャートである。
　【００２５】
　【００２６】
　以下、動作について説明する。（１）〜（１１）は、プッシュスイッチを押下した状態、（１２）〜（１６）は、プッシュスイッチを離した状態、（１７）〜（１９）は、２回目のプッシュスイッチを押下した状態、（２０）〜（２２）は
　【００２７】
、２回目のプッシュスイッチの押下を離した状態である。
（１）プッシュスイッチ１を押下すると、押下パルス２１のＬ→ＨがＦＦ３、ＦＦ４のＤ端子、ＦＦ１０のＲ（リセット）端子にそれぞれ入力される。
　【００２８】
（２）ＦＦ１０がリセットされ、Ｑバー出力３２（発振イネーブル信号）がＨとなり、ＣＲ発振回路（１１、１２、１３、１４、１５、１６）が自励発振を開始する。ＣＲ発振回路は、クロック信号２２を出力し、電子機器が動作状態となる。
　【００２９】
（３）ＦＦ１０のＱ出力３１がＬとなり、各分周ＦＦ１７〜２０へのリセットが解除され、分周回路は、クロック信号２２の分周を開始する。
　【００３０】
（４）ＦＦ３は、分周回路（１７〜２０）によって分周された信号２４をクロック入力とする。ＦＦ３のＤがＨとなるため、ＦＦ３のＱバー２５がクロック２４の立ち下がりエッジでＬを確定する。
　【００３１】
（５）ＦＦ４は、Ｑバー出力２６を、クロック２４をインバータ５により反転したクロックの立ち下がりエッジ、つまり、クロック２４より半周期遅れてしと確定する。
　【００３２】
（６）ノア回路６は、ＦＦ３のＱバー２５と、ＦＦ４のＱバー２６とのノアを取り、この実施例では、２１１／クロック信号（一般的に３２ｋＨｚ）＝６２．５ｍｓの期間、スイッチ１の押下によるパルスの変動をＦＦ３、ＦＦ４とインバータ５のデータシフト回路により取り除き、チャタリングを防止する。
　【００３３】
（７）チャタリングを取り除き、整形されたパルスのＨ出力２７が、ＦＦ７のＲに入力される。
　【００３４】
（８）ＦＦ７が、整形パルス２７のＨによりリセットされるため、ＦＦ７のＱバー出力２８は、Ｈにリセットされる。
　【００３５】
（９）ＦＦ８のクロック２８にＬ→Ｈが入力されるが、ＦＦ８は、立ち下がりエッジで駆動するため、前回の動作、非動作操作の後、ＦＦ８のＱ出力２９がＬ（Ｑバー出力Ｈ）であると、Ｑ出力２９はＬを保持する。
　【００３６】
（１０）ノア回路９は、信号２８がＨ、信号２９がしのため、ノア出力３０はＬを出力する。
　【００３７】
（１１）ＦＦ１０は、Ｄがしであるため、Ｒ入力がスイッチ１のチャタリングによりＨ→Ｌ→Ｈ・・となっても、クロック２２によりＱバー出力３２は、Ｈ（発振イネーブル信号）を保持し、ＣＲ発振回路が発振を維持する。
　【００３８】
（１２）プッシュスイッチ１の押下を離す。
　【００３９】
　ＦＦ３、ＦＦ４のＤにしが入力され、ＦＦ１０のリセットが解除される。
　【００４０】
（１３）ＦＦ３のＤ端子へのＬ２１は、クロック２４により読み込まれ、ＦＦ３はＱバー出力２５にＨを出力する。一方、ＦＦ４は、半周期遅れてＱバー出力２６にＨを出力する。ノア回路６は、信号２５（Ｈ）と２６（Ｈ）のノアをとり、Ｈ→Ｌのパルス整形した整形パルス２７（Ｌ）をＦＦ７にＲ入力する。
　【００４１】
（１４）ＦＦ７は、整形パルス２７によりリセットを解除され、ＤがＶＤＤに固定されているため、分周信号２３（分周信号２４の２倍のクロック）をクロック入力として、Ｑバー出力２８がしになる。ＦＦ８は、立ち下がりエッジのため、信号２８がＨ→Ｌとなることにより、そのときのＤ（スイッチ１を押したときＨ）を読み込み、Ｑ出力２９がＨに反転する。
　【００４２】
（１５）ノア回路９は、信号２８のしと信号２９のＨとのノアをとり、出力３０がＬのままである。
　【００４３】
（１６）ＦＦ１０のＤ３０がしのため、ＦＦ１０のＲが解除されても、ＣＬ２２によりＱバー出力３２（発振イネーブル信号）はＨを保持し、ＣＲ発振回路は発振を継続し、電子機器は動作状態を維持する。
　【００４４】
　例えば、電子機器が電子体温計であるときは、体温測定状態を維持する。
　【００４５】
（１７）次のプッシュスイッチ１を押下する。
　【００４６】
　ＦＦ１０はリセットされるが、Ｑバー出力３２の状態は不変である。一方、ＦＦ３、ＦＦ４のＤが再びＨになり、チャタリング防止回路（３、４、５、６、７）により整形されたパルス２８（Ｌ→Ｈ）がトグル回路８に入力される。トグル回路８は、立ち下がりエッジのため、トグル回路８のＱ出力２９はＨのままである。
　【００４７】
（１８）ノア回路９は、信号２８Ｈと信号２９Ｈとのノアをとり、出力３０はＬのまま保持される。
　【００４８】
（１９）ＦＦ１０のＤ入力３０は、Ｌを保持するため、ＦＦ１０のＱバー出力３２はＨ（発振イネーブル）を保持し、ＣＲ発振回路（１１〜１６）は、発振を保持する。
　【００４９】
（２０）２回目のプッシュスイッチ１の押下を離す。
　【００５０】
　ＦＦ１０のリセットＲが解除され、ＦＦ３、ＦＦ４のＤ端子にしが入力される。１回目のプッシュスイッチ押下戻しと同様に、ＦＦ７は、整形パルス２８Ｌを出力する。
　【００５１】
（２１）トグル回路８は、クロックＣＬに整形パルス２８のＨ→Ｌの立ち下がりによりＱ出力２９をＨ→Ｌに反転する。ノア回路９は、信号２８（Ｌ）と信号２９（Ｌ）とのノアをとり、信号３０をＨに反転する。
　【００５２】
（２２）ＦＦ１０のＤ入力３０がＨとなるため、クロック２２によりＱ出力３１がＨとなり分周回路（１７〜２０）がリセットされるとともに、Ｑバー出力３２はＬ（発振ディセーブル）となり、ＣＲ発振回路（１１〜１６）の自励発振が停止する。
　【００５３】
　従って、電子機器は、非動作状態となる。電子体温計の場合は、測定状態から非測定状態になる。
　【００５４】
（２３）以下、上記動作をプッシュスイッチの押下に伴って、繰り返す。
　【００５５】
　上記回路図をブロック的に説明する。
　【００５６】
（Ａ）プッシュ式スイッチ１は、一方のスイッチ端子がＶＤＤに接続され、他方のスイッチ端子は、ＦＦ３、ＦＦ４、ＦＦ１０に接続されるとともに、抵抗２を介してＶＳＳに接続されている。スイッチを押下、離すことにより、押下パルス（Ｌ→Ｈ→Ｌ）を各ＦＦに与える。
　【００５７】
（Ｂ）ＦＦ３、ＦＦ４は、該押下パルスを受け、インバータ５、ノア回路６、ＦＦ７とともに、押下パルスのチャタリングを取り除き、パルス整形を行い、整形パルス２８（Ｌ→Ｈ→Ｌ）を出力するパルス整形手段を構成している。
　【００５８】
（Ｃ）チャタリングを取り除かれ、パルス整形された整形パルス２８は、トグル回路８に入力される。トグル回路８とノア回路９は、整形パルス２８によりＦＦ１０のＤ入力３０をしに保持する。ＦＦ１０のＱバー出力３２は、押下パルスが離されても、Ｈに保持される。トグル回路８、ノア回路９、ＦＦ１０により状態保持手段を形成している。
　【００５９】
　次の押下パルスを整形した整形パルス２８（Ｌ→Ｈ→Ｌ）が到来すると、トグル回路８とノア回路９は、ＦＦ１０のＤ入力３０をＨに反転する。ＦＦ１０のＱバー出力３２は、次の押下パルスが離されることにより、Ｌに保持される。
　【００６０】
（Ｄ）ＣＲ発振手段（１１〜１６）は、ＦＦ１０のＱバー出力３２の状態により、自励発振または発振停止する。ＦＦ１０のＱバー３２がＨのとき発振し、Ｌのとき発振を停止する。
　【００６１】
　プッシュスイッチ１を押す・離す、押す・離す、・・・・の動作を繰り返すことにより、電子機器の発振状態が発振、発振停止、発振、発振停止・・・を繰り返すことになる。従って、電子機器の動作状態または非動作状態は、動作状態、非動作状態、動作状態、非動作状態、・・・をプッシュスイッチ１の押下動作に伴いサイクリックに繰り返すことになる。
　【００６２】
　【発明の効果】
　以上述べたように、本発明によれば、電子機器内のクロックを出力し、その発振動作が制御される発振手段を備えたことにより、自身の回路に供給されるクロックを発生することができるため、他の発振器を必要とせず、より簡単な構成でチャタリングを除去し得る。さらに電子機器内のクロックを出力し、その発振動作が制御される発振手段と、
オン動作によるレベル変化後のレベルが前記クロックの分周信号に基づく所定時間以上持続したときの前記オン動作によるレベル変化を第１のレベル変化として、
前記第１レベル信号の第１のレベル変化時点から前記所定時間が経過後に第１のレベル変化をして前記オンオフ動作に追随して第１から第４までのレベル変化をする
、前記分周信号に基づいて前記第１レベル信号からチャタリングによるノイズを除去して整形することにより生成して
で所定のレベルにレベル変化をして前記第２レベル信号の
前記
前記
前記
その発振動作を前記
が終了するまで
、それら以外では前記発振動作を持続させないように制御する
【図面の簡単な説明】
　【図１】本発明の電子機器に用いる発振開始停止制御回路の一実施例を示す回路図。
　【図２】図１の回路図の各タイミングチャート。
　【符号の説明】
１・・・・プッシュ式スイッチ
３、４・・フリップフロップ
５・・・・インバータ
６・・・・ノアゲート
７・・・・フリップフロップ
８・・・・トグルフリップフロップ
９・・・・ノアゲート
１０・・・フリップフロップ
１１〜１６・・ＣＲ発振回路